(57)【要約】      （修正有）【課題】吊るし型タンス本体が傾斜となる収納空間を複数に設けら、吊るしタンス本体の側面に、開放型のサイドポケットがあることを目的とする。【解決手段】吊るし型タンスは、軟らかい布で作られており、吊るし型タンスの両側に傾斜した空間があるため、物を入れると安定感が増し、均整が取れて、美しい。前記の吊るし型タンスの両側にはサイドポケットがあり、奥に向かって傾斜した、もしくは水平に延びた空間であり、小物を入れることができる。このほかに、前記の吊るし型タンスの上部には吊るし型タンスを吊るすための回転型のハンガーがついているので、吊るし棒にハンガーを掛ける際に、吊るし型タンスを回転させられ、中の物を取り出しやすい。【選択図】図１
0003121087.tif 000002
【実用新案登録請求の範囲】
【請求項１】
吊るし型タンス本体が傾斜となる収納空間を複数に設けら、前記吊るしタンス本体の側面に、開放型のサイドポケットがあることを特徴とする吊るしタンス。
【請求項２】
前記のサイドポケットの空間は、開放口から奥に向けて徐々に低く傾斜していることを特徴とする請求項1に記載の吊るし型タンス。
【請求項３】
前記の吊るし型タンスの上部には吊すための仕組みがあり、その仕組みはハンガーと基底部から成り、ハンガー部分の下部とタンス本体は動きに合わせて回転し、基底部は吊るし型タンスに固定されていることを特徴とする請求項1又は２に記載の吊るし型タンス。
【考案の詳細な説明】
【技術分野】
【０００１】
本考案はタンスの中や、その他適当な所に吊るし、衣服や物を収納するタンスである。
【背景技術】
【０００２】
居住スペースが広くない国や地区では、タンスを置くスペースにも限度がある。そのため、衣服や小物を収納する吊るし型タンスは消費者に広く受け入れられている。
一般的な簡易型タンスは、強度が十分で、たわむ材料（例えばズック）で作られている。構造は通常、上下左右、後ろにこの材料が使われ、前方は開いている。また、層状に、スペースが区切られている。タンスの上部には孔があり、ハンガーがついており、タンスの中や、壁に吊すことができる。吊るし型タンスの上部には粘着テープがあり、吊るし棒に固定できる。
【０００３】
従来の吊るし型タンスはそれぞれのスペースの底面は水平で、物を入れると、使用者がわざわざ物をできるだけ奥の方に置かない限り、物は開放口の方に突き出て、ごちゃごちゃしがちであった。その上、もし不注意で突きだした物にぶつかってしまうと、物が出てきてしまうこともあった。
【０００４】
このほかに、従来の吊るし型タンスは前記のスペースに衣服や物を置ける以外には、物を入れるスペースがなかった。さらに、従来の吊るし型タンスはハンガーを使おうと、粘着テープで吊るし棒に吊そうと、吊るし型タンス本体を吊るし棒に吊したまま三百六十度回すことはできず、使用者が向こう側の衣服や物を取ろうとしたときや、衣服や物を向こう側に置きたいときに不便であった。
【考案の開示】
【考案が解決しようとする課題】
【０００５】
本考案は主に、従来の吊るし型タンスにおいて、層状の底部が水平で、物を置くときに整然とせず、美観と安定性に欠け、突きだしたスペースの物が、ぶつかったときに出てきやすいという欠点を解消した。
本考案はさらに、吊るし型タンスに収納スペースを増やした。
【課題を解決するための手段】
【０００６】
本考案の主な技術手段として、吊るし型タンスのそれぞれのスペースの底部を傾斜させている。つまり、各スペースの開放口を高くし、奥は低くし、開放口から内部に向かって傾斜させた。これによって、スペースに物を入れる際、物の重みで自動的にスペース内に滑り込み、各スペースの開放口は整然としており、その上、ぶつかっても物が飛び出してこない。
【０００７】
従来の吊るし型タンスと比較して、本考案は主に、吊るし型タンスのスペースの底部に角度をつけ、物を収納したときの美観をよくし、ぶつかっても物が飛び出てこないようにした。さらに、吊るし型タンス本体の両側にたわむ素材を使った、物を入れられるサイドポケットをつけ、吊るし型タンスの上部には動くハンガーを付けた。このように本考案は実用性と発展性を兼ね備えている。
【考案を実施するための最良の形態】
【０００８】
まず、図１を参照すると、本考案の吊るし型タンスは、強度があり、たわむ素材（ズックなど）で作られた吊るし型タンス１である。吊るし型タンスの両側面にはサイド面１１があり、サイド面１１の間は中間面１２があり、サイド面１１が対照的に２つに分かれている。各サイド面１１と中間面１２の間には垂直に仕切り面１３があり、中間面１２と両サイド面１１は収納スペース１０を構成している。各収納スペース１０は垂直面１７でいくつかの小スペースに分かれている。（図１の通り）もしくは、仕切り面１３でいくつかの大スペースに分かれている。（図２の通り）前記の垂直に並んだ仕切り面１３は前が高く、後ろが低く傾斜しており、開放口から奥に向かって、だんだん低くなっている。最大傾斜角度は４５度であり、自由に角度を設定できる。仕切り面１３は平行で、一部を平行、一部を平行でないようにもできる。前記の仕切り面１３は中間面１２と両サイド面１１に縫いつけられており、粘着テープや釘などの部品でとめることもできる。（図は省略）仕切り面１３は中間面１２と両サイド面１１に固定されている。
【０００９】
さらに、図１のとおり、本考案は吊るし型タンス１の両サイド面１１の外側にいくつかのサイドポケット１４があり、衣服や小物を収納することができる。このサイドポケット１４はすばらしいことに、軟らかい素材（ズック、ネット布、等）でできており、サイド面１１を覆っている。横方向のシール線１４２と縦方向のシール線１４３が垂直になっていて、いくつかの開放口の  形のサイドポケット１４を構成している。前記の横方向のシール線１４３は前が高く、後ろが低く、もしくは水平となっている。この横方向のシール線１４３の前後高低の傾斜が、サイドポケットを傾斜させる。（図１，図２の通り）もし、横方向のシール線１４３が水平となると、サイドポケットも水平となる。（図３の通り）
【００１０】
前記のサイドポケット１４は粘着テープや釘などの部品（図は省略）でサイド面１１に固定させることができる。
【００１１】
さらに図１のとおり、吊るし型タンス１をタンス内もしくは壁の吊るし棒３にうまく吊すために、本考案ではさらに中間面１２の上部に吊るし板１５をつなげ、この吊るし板１５の上部には吊るし棒１６がつながっている。吊るし棒１６には吊すための仕組みがあり、ハンガー２を使って、吊るし棒３に吊すことができる。本考案は使用者が吊るし型タンス１の両側を持ちやすく、衣服や物を入れやすくしている。また、使用者は動かずに、ハンガー２で吊るし型タンス１を回転させることができる。
【００１２】
図５Ａ，Ｂのとおり、前記の吊るし型の仕組みの素晴らしい実施例をごらんいただきたい。ハンガー２、基底部２３を含み、基底部２３は金属板によって折り曲げることができる。また、基底部２３の水平面には孔２３１がある。基底部２３は折り曲げる前に、吊るし板１５の上部の吊るし棒１６の株に通して、ハンガー２の下部を基底部２３１に通した後、ハンガー２の下部にはワシャ２２と直径の大きなヘッド部２１がある。さらに、金属板を基底部２３に折り曲げると、吊るし棒１６とヘッド部２１は基底部２３内を囲み、ヘッド部２１はハンガー２が基底部２３から外れにくくなる。ハンガー２の直径が孔２３１の直径より小さいので、吊るし型タンス１の基底部２３とハンガー２に固定され、回転させることができる。言い換えれば、ハンガー２を吊るし棒３に吊す際、使用者は動かずに、吊るし型タンス１を回転させることができるので、衣服や物を取り出したり入れたりしやすい。
【００１３】
前記の本考案の傾斜した収納スペース１０とサイドポケット１４は、収納スペース１０に物を入れる際、物そのものの重みによって、収納スペースの底部に滑り込むという利点がある。（図４の通り）物の大きさに関わらず、物をスペースの一番奥に入れられるので、収納スペースの開放口は整然としていて、美しく、ぶつかっても物が飛び出てくることがない。
【図面の簡単な説明】
【００１４】
【図１】本考案の第一実施例の立体図である。
【図２】本考案の第二実施例の立体図である。
【図３】本考案の吊るし型タンスのサイドポケットの水平の開放口の実施例の立体図である。
【図４】本考案の吊るし型タンスのサイドポケットの傾斜の開放口の実施例の平面図である。
【図５Ａ】本考案のハンガーの構造の前から見た平面図である。
【図５Ｂ】図５Ａの側面図である。
【符号の説明】
【００１５】
1         
吊るし型タンス
１０  収納スペース
１１  サイド面
１２  センター面
１３  仕切り面
１４  サイドポケット
１４１    開放口
１４２    横方向のシール線
１４３    縦方向のシール線
１５    吊るし板
１６    吊るし棒
１７    垂直壁
２      ハンガー
２１    ヘッド部
２２    ワシャ
２３    基底部
２３１    孔
３      吊るし棒
【図１】
0003121087.tif 000003
【図２】
0003121087.tif 000004
【図３】
0003121087.tif 000005
【図４】
0003121087.tif 000006
【図５Ａ】
0003121087.tif 000007
【図５Ｂ】
0003121087.tif 000008